(57)【要約】【課題】装飾体に装着される写真を、中央部が表面側に盛り上がるように立体的に表示することによって、よりリアルな表示として装飾効果を高めることが可能な装飾体を提供する。【解決手段】装飾体本体１０と一体的に又は別体により構成され、中央部が表面側に盛り上がる湾曲状面を有するベース部材１を設け、該ベース部材１の湾曲状面の表面に写真２を添わせ、当該写真２の表面に透明な樹脂層３を施すと共に、前記ベース部材１及び写真２の周縁部における樹脂層３ａ上に飾り部材４を配置し、樹脂層３，３ａの硬化によって、前記写真２をコーティングすると共に、飾り部材４を装飾体本体１０に対して一体的に接着固定した構成により、装着された写真を全体として立体的に表示し、写真をよりリアルに表示してその装飾効果を高めることができる。【選択図】図１
0003200599.tif 000002
【実用新案登録請求の範囲】
【請求項１】
装飾体本体と一体的に又は別体により構成され、中央部が表面側に盛り上がる湾曲状面を有するベース部材を設け、該ベース部材の湾曲状面の表面に写真を添わせ、当該写真の表面に透明な樹脂層を施すと共に、前記ベース部材及び写真の周縁部における樹脂層上に飾り部材を配置して成り、
樹脂層の硬化によって、前記写真をコーティングすると共に、飾り部材を装飾体本体に対して一体的に接着固定した構成としたことを特徴とする装飾体。
【請求項２】
装飾体本体は、一定の幅の周縁部を残して中央部に凹部を形成し、当該凹部にベース部材及び写真とその周縁部の飾り部材を収納可能に構成したことを特徴とする請求項１に記載の装飾体。
【請求項３】
装飾体本体は、一定の幅の周縁部を残して中央部に貫通孔を形成し、当該貫通孔部にベース部材及び写真とその周縁部の飾り部材を収納可能に構成すると共に、装飾体本体の背面側に前記貫通孔を覆うシート材を設けたことを特徴とする請求項１に記載の装飾体。
【請求項４】
装飾体本体は、表面を平坦な面状の構成とし、当該平面上にベース部材を構成し、該ベース部材の湾曲状面の表面に、写真とその周縁部の飾り部材と共に樹脂層を構成したことを特徴とする請求項１に記載の装飾体。
【請求項５】
装飾体本体は、ベース部材部を一体的に構成し、該ベース部材部の湾曲状面の表面に、写真とその周縁部の飾り部材と共に樹脂層を構成したことを特徴とする請求項１に記載の装飾体。
【請求項６】
樹脂層は、紫外線硬化型樹脂によって形成したものであることを特徴とする請求項１〜５に記載の装飾体。
【考案の詳細な説明】
【技術分野】
【０００１】
本考案は、ペンダントやブローチ等のような携帯用の装飾体において、特にその表面側に配置した写真の上から透明な樹脂層を施したものに関するものである。
【背景技術】
【０００２】
従来、装飾体の表面側に配置した写真の上から透明な樹脂を施した例としては、キーホルダーの装飾体として、薄い鉄板またはプラスチック台座１に自分で映した写真２等を貼り、その上から太陽光で硬化する樹脂４を塗り、自分で好みの写真入りキーホルダーを作るというもの（特許文献１）がある。
【０００３】
また、プレート部１の面上に写真２又は絵柄を貼り付け、その上に透明なコーティング層３を設ける。そして、そのコーティング層３の上の適宜の位置に、適宜の形状に型抜きした透明フィルム４，５を貼り付け、該透明フィルム４，５の上に硬化性の透明樹脂６を滴下して山盛り状に形成したもの（特許文献２）がある。この例の装飾品は、透明樹脂６を任意の形に形成したレンズ部とし、プレート部に貼り付けた写真等の一部分を強調することやデコレーションを施すことができるというものである。
【０００４】
上記のような先行技術においては、好みの写真や絵柄等を装着したオリジナル装飾品を作成できるというものである。また、特許文献２においては、透明樹脂部をレンズ部として、写真や絵柄の一部を拡大して強調できるというものであった。
【先行技術文献】
【特許文献】
【０００５】
【特許文献１】実用新案登録第３０３９４７８号公報
【特許文献２】特開２００８−２６４２７５号公報
【考案の概要】
【考案が解決しようとする課題】
【０００６】
前記先行技術においては、両者とも、写真を貼付する台座又はプレート部は平面に形成されたものであり、従って、写真も単に平面上に貼付されて、その上から透明なコーティングが施されているに過ぎないものであった。そのために、特許文献2の場合は一部に施された透明樹脂によるレンズ部に対応する部分のみ拡大して表示されるものの、装飾体表面の全体としての写真等の表示は平面的に表示されているにすぎないものであった。
【０００７】
本考案の課題は、装飾体に装着される写真がペットや人の顔である場合等、中央部が表面側に盛り上がるように全体として立体的に表示することにより、よりリアルに表示してその装飾効果を高めることができ、且つ写真の周縁を装飾体本体に対してより確実に取り付けることができる装飾体を提供することである。
【課題を解決するための手段】
【０００８】
この課題を解決するために本考案装飾体は、装飾体本体と一体的に又は別体により構成され、中央部が表面側に盛り上がる湾曲状面を有するベース部材を設け、該ベース部材の湾曲状面の表面に写真を添わせ、当該写真の表面に透明な樹脂層を施すと共に、前記ベース部材及び写真の周縁部における樹脂層上に飾り部材を配置して成り、樹脂層の硬化によって、前記写真をコーティングすると共に、飾り部材を装飾体本体に対して一体的に接着固定した構成としたものである。
【０００９】
また、装飾体本体は、一定の幅の周縁部を残して中央部に凹部を形成し、当該凹部にベース部材及び写真とその周縁部の飾り部材を収納可能に構成したものである。
【００１０】
また、装飾体本体は、一定の幅の周縁部を残して中央部に貫通孔を形成し、当該貫通孔部にベース部材及び写真とその周縁部の飾り部材を収納可能に構成すると共に、装飾体本体の背面側に前記貫通孔を覆うシート材を設けたものである。
【００１１】
また、装飾体本体は、表面を平坦な面状の構成とし、当該平面上にベース部材を構成し、該ベース部材の湾曲状面の表面に、写真とその周縁部の飾り部材と共に樹脂層を構成したものである。
【００１２】
また、装飾体本体は、ベース部材部を一体的に構成し、該ベース部材部の湾曲状面の表面に、写真とその周縁部の飾り部材と共に樹脂層を構成したものである。
【００１３】
また、樹脂層は、紫外線硬化型樹脂によって形成したものである。
【考案の効果】
【００１４】
このように、本考案では、装飾体に装着される写真がペットや人の顔である場合等、写真を添わせるベース部材により中央部が表面側に盛り上がるように全体として立体的に表示することにより、写真をよりリアルに表示してその装飾効果を高めることができる。また、写真の周縁に飾り部材を配置して装飾体本体に接着固定したため、写真自体の周縁を装飾体本体に対してより確実に取り付けることが可能である。
【００１５】
また、本考案では、写真と樹脂層によるコーティングを、湾曲状面を有するベース部材上に構成することにより、装飾体本体の形状は特に特定することなく、凹部や貫通孔部、更に平面状部においても構成することができる。このため、装飾体本体の材質については、コーティング樹脂層を構成する樹脂により飾り部材を接着固定できるものであれば、樹脂材、陶器、木材、紙材、金属、ゴム系材料等、特に限定されることなく、構成することができる。
【００１６】
また、本考案では、中央部が表面側に盛り上がる湾曲状面を有するベース部材部を、装飾体本体に直接一体的に構成できるものであれば、ベース部材部は当該装飾体本体に直接構成することができる。特に、樹脂材等成型により作成可能な材質のものでは、容易に同じ形状のものを多数作成できる。
【００１７】
また、本考案では、樹脂層を紫外線硬化型樹脂によって形成することにより、高温にすることなく、常温で処理できるため、ベース部材上に添わせた写真表面に塗布するのみでコーティングできるので、写真そのものを傷めることなく作成することができる。
【図面の簡単な説明】
【００１８】
【図１】本考案装飾体の実施形態１を示し、（ａ）は縦断断面図、（ｂ）は部分拡大断面図、（ｃ）は正面図である。
【図２】同実施形態２を示し、（ａ）は縦断断面図、（ｂ）は部分拡大断面図である。
【図３】同実施形態３を示し、（ａ）は縦断断面図、（ｂ）は部分拡大断面図である。
【図４】同実施形態４を示し、（ａ）は縦断断面図、（ｂ）は部分拡大断面図である。
【図５】同実施形態５を示し、（ａ）は縦断断面図、（ｂ）は部分拡大断面図である。
【図６】本考案装飾体を採用した装飾品を示し、（ａ）はペンダントの外観図、（ｂ）は指輪の外観図である。
【考案を実施するための形態】
【００１９】
以下、実施形態１から５の装飾体について、図面を参照して説明する。
【００２０】
本考案の実施形態１を示す図１において、１０は装飾体本体であり、その表面側の中央部に凹部１１を形成し、その外周に所定の幅よりなる周縁部１２を形成している。そして、凹部１１に、中央が盛り上がる湾曲状面を有するベース部材１を配置し、該ベース部材１の湾曲状面の表面に写真２を添わせ、当該写真２の表面に透明な樹脂層３を施した構成とすると共に、ベース部材１及び写真２の周縁部における樹脂層上に飾り部材４を配置している。
【００２１】
ここで、樹脂層３は、紫外線硬化型の樹脂であり、写真２の表面に塗布等の手段によって施すが、ベース部材１及び写真２の周縁部にはやや厚めの接着用樹脂層３ａとし、その接着用樹脂層３ａ上にパール等の粒状飾り部材４を配置する。そして、樹脂層３，３ａの硬化によって、写真２上に塗布された樹脂層３は透明なコーティング層として写真を視認でき、接着用樹脂層３ａは飾り部材４を装飾体本体１０に対して一体的に接着固定することとなる。
【００２２】
前記飾り部材４は、（ｃ）図に示すように、ベース部材１及び写真２の周縁において、周縁部１２との間に連続して配置される所謂数珠繋ぎ状に配置されており、実際には、その飾り部材４に形成された孔４ａを貫通させた糸５により連結されている。また、飾り部材４は、装飾体本体１０の凹部１１と周縁部12の境界部分１２ａと、ベース部材１及び写真２の周縁部の立ち上がり部分とで形成される溝部分に、嵌めこまれた形で配置されている。このため、飾り部材４は、底面部分と側面部分すなわち球体の下半分相当が、接着用樹脂層３ａと面する状態となる。したがって、飾り部材４は、装飾体本体１０に対してより強固に接着されることとなる。
【００２３】
そして、（ｃ）図に示すように、完成した装飾体Ａにおいて、樹脂層３によりコーティングされ、表面から視認する際の写真２ａは、中央が盛り上がる湾曲状面を有するので、疑似的であっても立体的に視認することができる。
【００２４】
以上説明したように、実施形態１の装飾体Ａは、装飾体本体１０とは別体により構成されて中央部が表面側に盛り上がる湾曲状面を有するベース部材１を設け、該ベース部材１の湾曲状面の表面に写真２を添わせ、当該写真２の表面に透明な樹脂層３を施すと共に、前記ベース部材１及び写真２の周縁部における樹脂層３ａ上に飾り部材４を配置して成り、樹脂層３，３ａの硬化によって、前記写真２をコーティングすると共に、飾り部材４を装飾体本体１０に対して一体的に接着固定した構成となっている。従って、この実施形態では、所期の目的・課題を解決することができることとなる。
【００２５】
次に、実施形態２を示す図２に基づいて説明する。図２において、２０は装飾体本体であり、この形態では、当該装飾体本体２０は一定の幅の周縁部のみにより形成されるリング状の形状となっており、中央部に貫通孔２１を形成している。そして、この貫通孔２１部分に、実施形態１で構成した、ベース部材１及び写真２と、写真２上に塗布された樹脂層３、周縁部の飾り部材４を配置構成している。この構成自体は、実施形態１の場合と同様に行うことができる。
【００２６】
この実施形態２では、装飾体本体２０の背面側に貫通孔２１を覆うシート材２２を設け、ベース部材１の背面側を実質的に覆っている。このシート材２２と装飾体本体２０との固定は、図示するように樹脂層３及び接着用樹脂層３ａと同じ樹脂による接着用樹脂層３ｂによって接着固定される。ここで、シート材２２と装飾体本体２０との固定は、接着用樹脂層３ｂの部分において、予め接着剤により接着固定しておいてもよい。予め固定していた場合は、貫通孔２１部分が、装飾体本体２０とシート材２２によって凹部となり、ベース部材１〜飾り部材４を配置構成する際には、実施形態１の場合と同様に取り扱うことができる。
【００２７】
以上説明したように、実施形態２における装飾体本体２０は、一定の幅の周縁部を残して中央部に貫通孔２１を形成し、当該貫通孔２０部にベース部材１及び写真２とその周縁部の飾り部材４を収納可能に構成すると共に、装飾体本体２０の背面側に前記貫通孔を覆うシート材２２を設けた構成となっている。従って、この実施形態でも、所期の目的・課題を解決することができることとなる。
【００２８】
次に、実施形態３を示す図３に基づいて説明する。図３において、３０は装飾体本体であり、この実施形態では、装飾体本体３０の表面３１を平坦な面状の構成とし、当該平面上にベース部材１以下を実施形態１の場合と同様に配置構成したものである。この実施形態の場合も、飾り部材４は、装飾体本体３０に対して一体的に接着固定する部分の接着用樹脂層３ａによって装飾体本体３０に接着固定している。
【００２９】
以上説明したように、実施形態３における装飾体本体３０は、表面３１を平坦な面状の構成とし、当該平面３１上にベース部材１を構成し、該ベース部材１の湾曲状面の表面に、写真２とその周縁部の飾り部材４と共に樹脂層３を構成したものとなっている。従って、この実施形態でも、所期の目的・課題を解決することができることとなる。
【００３０】
次に、実施形態４を示す図４に基づいて説明する。図４において、４０は装飾体本体であり、この実施形態では、装飾体本体４０の表面４１を平坦な面状の構成としている点では、実施形態３の場合と同様である。異なる点は、ベース部材１以下を構成する位置を特定するために、環状の凸縁部４２を設けたことである。これは、実施形態３の場合に対し、ベース部材１以下を構成する位置の特定を容易に行うことができる。更に、凸縁部４２の構成により、接着用樹脂層３ａのはみ出し防止と共に、接着面の拡大による接着強度の向上を図ることができる。
【００３１】
次に、実施形態５を示す図５に基づいて説明する。図５において、５０は装飾体本体であり、この実施形態では、装飾体本体５０の表面中央部に、中央部が表面側に盛り上がる湾曲状面を有するベース部材部５１として、装飾体本体５０そのものにより一体成型により形成している。このベース部材部５１の形成と共に、装飾体本体５０の表面には、ベース部材部５１の外周に一定の幅の周縁部５２を有して環状溝部５３を形成している。そして、ベース部材部５１の上面に写真２を添わせて、樹脂層３を構成し、更に、環状溝部５３に飾り部材４を配置構成している。この実施形態５において、飾り部材４は、環状溝部５３において、接着用樹脂層３ａにより装飾体本体５０に接着固定されることとなる。
【００３２】
以上説明したように、実施形態５における装飾体本体５０は、ベース部材部５１を一体的に構成し、該ベース部材部５１の湾曲状面の表面に、写真２とその周縁部の飾り部材４と共に樹脂層３を構成したものとなっている。従って、この実施形態でも、所期の目的・課題を解決することができると共に、樹脂材等の成型により作成可能な材質のものでは、同じ形状のものを容易に多数作成できる。
【００３３】
以上、本考案の実施形態１から５について説明したが、これらの構成に限定されることなく、装飾体本体とベース部材の一体構成の例としては、例えば、板状金属をプレス加工して構成することも、木彫によって構成することも、陶器によって構成することも可能であることは言うまでもない。
【００３４】
また、装飾体本体の材質については、コーティング樹脂層を構成する樹脂により飾り部材を接着固定できるものであれば、樹脂材、陶器、木材、紙材、金属、ゴム系材料等、特に限定されることなく、構成することができる。
【００３５】
次に、図６に基づいて、以上のように構成した装飾体の商品への実施例について説明する。図６において、Ａは完成した装飾体であり、（ａ）図はペンダント用として鎖６１に連結して使用した例を示し、（ｂ）図は指輪用として指輪リング６２に連結して使用した例を示すものである。ここで、装飾体Aには、鎖６１又はリング６２に連結するための連結用の手段が適宜施されている。
【産業上の利用可能性】
【００３６】
本考案は、装飾体の実施例で示した、ペンダントや指輪に限られることなく、ブローチ、メダル、イヤリング、ネクタイピン等の身の回り装飾品の装飾体として利用できる。
【符号の説明】
【００３７】
１    ベース部材
２    写真
３    樹脂層
３ａ  接着用樹脂層
４    飾り部材
５    糸
１０，２０，３０，４０，５０  装飾体本体
１１  凹部
１２  周縁部
２１  貫通孔
３１，４１  平坦な表面
５１  ベース部材部
【図１】
0003200599.tif 000003
【図２】
0003200599.tif 000004
【図３】
0003200599.tif 000005
【図４】
0003200599.tif 000006
【図５】
0003200599.tif 000007
【図６】
0003200599.tif 000008